(57)【要約】【課題】信頼できる相手から遠隔操作のみを許容できるようにした携帯端末の遠隔操作方法を提供する。【解決手段】第１携帯端末１２２とのテレビ電話中に、所定の遠隔操作要求が行われると、第２携帯端末１１２は、第１携帯端末１２２に対して自装置のメニュー画面の送信を開始する（メニュー画面共有化）。第１携帯端末１２２で該メニュー画面に基づいた操作内容が行われ第２携帯端末１１２側に送信されると、第２携帯端末１１２は、第１携帯端末１２２より操作内容とともに送信される認証情報を用いて認証処理を実行し、認証に成功した場合にのみ、操作内容を受け付け、カーソル移動、次画面展開等の処理を実行する（操作内容反映）。【選択図】図１
2008103828.tif 000002
【特許請求の範囲】
【請求項１】
第１の携帯端末が、ネットワークを介して接続された第２の携帯端末を遠隔操作する携帯端末の遠隔操作方法であって、
前記第２の携帯端末が、自装置の操作画面を前記第１の携帯端末に対して送信するステップと、
前記第１の携帯端末が、前記第２の携帯端末の操作画面に対する操作内容とともに、前記第２の携帯端末に対し、認証情報を送信するステップと、
前記認証情報を用いた認証処理が成功した場合に、前記第２の携帯端末が、前記第１の携帯端末からの操作内容を受け付け、動作するステップと、を含むこと、を特徴とする携帯端末の遠隔操作方法。
【請求項２】
前記認証情報として、テレビ電話中のユーザの顔画像又は／及び電話中のユーザの音声を用いること、
を特徴とする請求項１に記載の携帯端末の遠隔操作方法。
【請求項３】
前記認証情報として、少なくともテレビ電話中のユーザの顔画像を用い、
前記第１、第２の携帯端末は、前記テレビ電話画像と、前記第２の携帯端末の操作画面との双方を、一画面に表示すること、
を特徴とする請求項１又は２に記載の携帯端末の遠隔操作方法。
【請求項４】
ネットワークを介して接続された他の携帯端末（第１の携帯端末）に対して、自装置（第２の携帯端末）の操作画面を送信する操作画面送信手段と、前記自装置（第２の携帯端末）の操作画面を送信した前記他の携帯端末（第１の携帯端末）から受け付けた操作内容に従って動作する遠隔操作実行手段と、を備える携帯端末（第２の携帯端末）であって、
前記他の携帯端末（第１の携帯端末）からの前記操作内容とともに送信される認証情報を用いた認証処理が成功した場合に、前記他の携帯端末（第１の携帯端末）からの操作内容を受け付ける認証手段を備えたこと、
を特徴とする携帯端末（第２の携帯端末）。
【請求項５】
前記認証情報として、テレビ電話中のユーザの顔画像又は／及び電話中のユーザの音声を用いること、
を特徴とする請求項４に記載の携帯端末（第２の携帯端末）。
【請求項６】
前記認証情報として、少なくともテレビ電話中のユーザの顔画像を用い、
前記テレビ電話画像と、前記自装置の操作画面との双方を、一画面に表示すること、
を特徴とする請求項４又は５に記載の携帯端末（第２の携帯端末）。
【請求項７】
前記操作画面送信手段は、複数の携帯端末に対して自装置（第２の携帯端末）の操作画面を送信可能であり、
前記認証手段は、前記複数の携帯端末からの操作内容とともに送信される認証情報を用いて前記各操作内容を受け付けるか否かを判断し、
前記遠隔操作実行手段は、前記複数の携帯端末からそれぞれ受け付けた操作内容に従って動作すること、
を特徴とする請求項４乃至６いずれか一に記載の携帯端末（第２の携帯端末）。
【請求項８】
ネットワークを介して接続された他の携帯端末から該携帯端末の操作画面を受信し表示する操作画面表示手段と、該操作画面に基づいたユーザ操作内容を、前記他の携帯端末に送信する遠隔操作手段と、を備える携帯端末（第１の携帯端末）であって、
請求項４乃至７いずれか一に記載の携帯端末（第２の携帯端末）に対し、前記ユーザ操作内容とともに認証情報を送信する認証情報送信手段を備えて、
請求項４乃至７いずれか一に記載の携帯端末（第２の携帯端末）に、前記ユーザ操作内容を受け付けさせること、
を特徴とする携帯端末（第１の携帯端末）。
【請求項９】
前記認証情報として、テレビ電話中のユーザの顔画像又は／及び電話中のユーザの音声を送信すること、
を特徴とする請求項８に記載の携帯端末（第１の携帯端末）。
【請求項１０】
前記認証情報として、少なくともテレビ電話中のユーザの顔画像を送信し、
前記テレビ電話画像と、請求項４乃至７いずれか一に記載の携帯端末（第２の携帯端末）の操作画面との双方を、一画面に表示すること、
を特徴とする請求項８又は９に記載の携帯端末（第１の携帯端末）。
【請求項１１】
前記遠隔操作手段及び認証情報送信手段は、請求項４乃至７いずれか一に記載の複数の携帯端末（第２の携帯端末）に対し、前記ユーザ操作内容と認証情報を同時に送信可能であること、
を特徴とする請求項８乃至１０いずれか一に記載の携帯端末（第１の携帯端末）。
【請求項１２】
ネットワークを介して接続された他の携帯端末（第１の携帯端末）に対して、自装置（第２の携帯端末）の操作画面を送信する操作画面送信手段と、前記自装置（第２の携帯端末）の操作画面を送信した前記他の携帯端末（第１の携帯端末）から受け付けた操作内容に従って動作する遠隔操作実行手段と、を備える携帯端末（第２の携帯端末）に実行させるプログラムであって、
前記他の携帯端末（第１の携帯端末）からの前記操作内容とともに送信される認証情報を用いた認証処理と、
前記認証処理にて、前記他の携帯端末（第１の携帯端末）の認証に成功した場合に、前記他の携帯端末（第１の携帯端末）からの操作内容を受け付ける処理と、
を前記携帯端末（第２の携帯端末）に実行させるためのプログラム。
【請求項１３】
前記認証情報として、テレビ電話中のユーザの顔画像又は／及び電話中のユーザの音声を用いること、
を特徴とする請求項１２に記載のプログラム。
【請求項１４】
前記認証情報として、少なくともテレビ電話中のユーザの顔画像を用い、
前記テレビ電話画像と、前記自装置（第２の携帯端末）の操作画面との双方を、一画面に表示させること、
を特徴とする請求項１２又は１３に記載のプログラム。
【請求項１５】
複数の携帯端末に対して前記自装置（第２の携帯端末）の操作画面を送信させるとともに、
前記複数の携帯端末からの操作内容とともに送信される認証情報を用いて前記各操作内容を受け付けるか否かを判断させ、
前記複数の携帯端末からそれぞれ受け付けた操作内容に従って前記携帯端末（第２の携帯端末）を動作させること、
を特徴とする請求項１２乃至１４いずれか一に記載のプログラム。
【請求項１６】
ネットワークを介して接続された他の携帯端末から該携帯端末の操作画面を受信し表示する操作画面表示手段と、該操作画面に基づいたユーザ操作内容を、前記他の携帯端末に送信する遠隔操作手段と、を備える携帯端末（第１の携帯端末）に実行させるプログラムであって、
請求項４乃至７いずれか一に記載の携帯端末（第２の携帯端末）に対し前記ユーザ操作内容とともに認証情報を送信する認証情報送信処理を、前記携帯端末（第１の携帯端末）に実行させるためのプログラム。
【請求項１７】
前記認証情報として、テレビ電話中のユーザの顔画像又は／及び電話中のユーザの音声を送信させること、
を特徴とする請求項１６に記載のプログラム。
【請求項１８】
前記認証情報として、少なくともテレビ電話中のユーザの顔画像を送信させるとともに、
前記テレビ電話画像と、請求項４乃至７いずれか一に記載の携帯端末（第２の携帯端末）の操作画面との双方を、一画面に表示させること、
を特徴とする請求項１６又は１７に記載のプログラム。
【請求項１９】
請求項４乃至７いずれか一に記載の複数の携帯端末（第２の携帯端末）に対し、前記ユーザ操作内容と認証情報を同時に送信させること、
を特徴とする請求項１６乃至１８いずれか一に記載のプログラム。
【発明の詳細な説明】
【技術分野】
【０００１】
本発明は、２つの携帯端末の一方の携帯端末から他方の携帯端末を遠隔操作する携帯端末の遠隔操作方法、該方法の実施に用いる携帯端末及びプログラムに関する。
【背景技術】
【０００２】
携帯電話端末等の携帯端末は年々多機能化が進んでおり、また、そのユーザ層は広がっている。このため、高機能の携帯端末を所有しているにも拘らず、細かい設定変更等をやったことが無く、必要が生じた場合に周囲の詳しい人にお願いしているというユーザも増えてきている。
【０００３】
特許文献１には、情報処理装置と、イメージ入出力装置とをネットワーク接続した構成において、イメージ入出力装置のメニュー画面を、情報処理装置側に表示するとともに、当該メニュー画面に対して行われた操作内容を制御情報として送信し、イメージ入出力装置を操作できるようにすることが提案されている。
【０００４】
【特許文献１】特開平０８−３２９００５号公報
【発明の開示】
【発明が解決しようとする課題】
【０００５】
上記特許文献１の技術を携帯端末に適用すれば、例えば、遠隔地から知人の携帯端末の設定変更や細かい操作を代行してもらうことが可能となりそうであるが、携帯端末には重要な情報も入っており、如何なる者の携帯端末に、どの程度の期間、どのような操作権限を与えるのかが問題となる。
【０００６】
ここで例えば、遠隔操作の開始時に、既存の相手認証技術を用いた認証を行うことも考えられる。しかしながら、一度遠隔操作を依頼した他の端末から、その後も遠隔操作可能となってしまうような事態を防ぐためには、遠隔操作用パスワードをその都度発行・配送し、かつ、遠隔操作終了後速やかに無効化する等の複雑なパスワード管理が必要となってしまう。そして、上記細かい設定変更等すら難しいと感じるユーザにとっては、上記パスワード等の設定もまた難しいという問題点がある。
【０００７】
本発明は、上記した各事情に鑑みてなされたものであって、その目的とするところは、遠隔操作を受ける側の負担が少なく、しかも、信頼できる相手からの遠隔操作のみ許容できるようにした携帯端末の遠隔操作方法、該遠隔操作方法を実施するための携帯端末及びプログラムを提供することにある。
【課題を解決するための手段】
【０００８】
本発明の第１の視点によれば、第１の携帯端末が、ネットワークを介して接続された第２の携帯端末を遠隔操作する携帯端末の遠隔操作方法であって、前記第２の携帯端末が、自装置の操作画面を前記第１の携帯端末に対して送信するステップと、前記第１の携帯端末が、前記第２の携帯端末の操作画面に対する操作内容とともに、前記第２の携帯端末に対し、認証情報を送信するステップと、前記認証情報を用いた認証処理が成功した場合に、前記第２の携帯端末が、前記第１の携帯端末からの操作内容を受け付け、動作するステップと、を含むこと、を特徴とする携帯端末の遠隔操作方法が提供される。
【０００９】
本発明の第２の視点によれば、ネットワークを介して接続された他の携帯端末（第１の携帯端末）に対して、自装置（第２の携帯端末）の操作画面を送信する操作画面送信手段と、前記自装置（第２の携帯端末）の操作画面を送信した前記他の携帯端末（第１の携帯端末）から受け付けた操作内容に従って動作する遠隔操作実行手段と、を備える携帯端末（第２の携帯端末）であって、前記他の携帯端末（第１の携帯端末）からの前記操作内容とともに送信される認証情報を用いた認証処理が成功した場合に、前記他の携帯端末（第１の携帯端末）からの操作内容を受け付ける認証手段を備えたこと、を特徴とする携帯端末（第２の携帯端末）及びそのプログラムが提供される。
【００１０】
本発明の第３の視点によれば、上記した携帯端末（第２の携帯端末）から該携帯端末の操作画面を受信し表示する操作画面表示手段と、該操作画面に基づいたユーザ操作内容を、前記他の携帯端末に送信する遠隔操作手段と、を備える携帯端末（第１の携帯端末）であって、上記した携帯端末（第２の携帯端末）に対し、前記ユーザ操作内容とともに認証情報を送信する認証情報送信手段を備えて、該携帯端末（第２の携帯端末）に、前記ユーザ操作内容を受け付けさせること、を特徴とする携帯端末（第１の携帯端末）及びそのプログラムが提供される。
【発明の効果】
【００１１】
本発明によれば、遠隔操作を受ける側の携帯端末ユーザは、自装置の操作画面を送信する操作を行うだけでよく、正当と判断された相手からの操作内容をその都度確認した上で受け付けることが可能となる。その理由は、まず、遠隔操作を受ける側から端末を指定して操作画面を送信することとし、該操作画面に対する操作内容とともに送信される認証情報により、該操作内容の受け付け可否をその都度判断するよう構成したことにある。
【発明を実施するための最良の形態】
【００１２】
続いて、本発明を実施するための最良の形態について図面を参照して詳細に説明する。
図１は、本発明の第１の実施形態の基本構成及び動作概要を説明するための図である。図１を参照すると、ユーザ１が操作する第１携帯端末１２２と、ユーザ２が操作する第２携帯端末１１２と、が示されている。
【００１３】
第１携帯端末１２２及び第２携帯端末１１２は、それぞれポインティングデバイスや番号ボタン等で構成されたキー入力部１２３、１１３と、メニュー表示領域１２４、１１４とテレビ電話画像表示領域１２５、１１５に分割して使用可能な表示部を備えて構成されている。
【００１４】
図２は、上記第１携帯端末１２２及び第２携帯端末１１２として使用可能な携帯電話端末の構成を表したブロック図である。図２を参照すると、他の携帯端末との各種無線通信のための無線部１０と、テレビ電話における顔画像を入力するための画像入力部１１と、液晶表示装置等により構成され、上記メニュー表示領域１２４、１１４及びテレビ電話画像表示領域１２５、１１５を提供する表示部１２と、メモリー部１４に格納されたプログラムにより動作し、顔認証処理や後記する遠隔操作の実現のためのメニュー画面共有化、操作内容反映等の各種通信処理を実行する制御部（認証手段、認証情報送信手段、操作画面送信手段、遠隔操作実行手段、操作画面表示手段及び遠隔操作手段として機能する）１３と、上記キー入力部１２３、１１３を含む操作部１５とを備えた構成が示されている。
【００１５】
続いて、本発明の第１の実施形態の動作について、図１のユーザ２がユーザ１に待ち受け画面の壁紙の設定操作（変更）を依頼する例を挙げて詳細に説明する。図３は、本実施形態に係る上記第１、第２携帯端末１２２、１１２の動作を表したフローチャートである。
【００１６】
図３を参照すると、まず、ユーザ２がその第２携帯端末１１２を用いて、ユーザ１の第１携帯端末１２２に対して、テレビ電話をかけ、テレビ電話通話中状態にする（ステップＳ００１）。
【００１７】
ユーザ２は、上記テレビ電話通話中状態で、その第２携帯端末１１２の動作モードを、第１携帯端末１２２からの遠隔操作の受け付けを開始する遠隔操作モードに設定する（ステップＳ００２）。
【００１８】
前記遠隔操作モードの設定が行われると、第２携帯端末１１２は、表示部の領域を、第１携帯端末１２２に対して送信した自装置（第２携帯端末１１２）のメニュー画面（操作画面）を表示するメニュー表示領域１１４と、第１携帯端末１２２のユーザ１の顔画像を表示するテレビ電話画像表示領域１１５とに分割する。第１携帯端末１２２も同様に、表示部の領域を、第２携帯端末１１２から受信したメニュー画面（操作画面）を表示するメニュー表示領域１２４と、第２携帯端末１１２のユーザ２の顔画像を表示するテレビ電話画像表示領域１２５とに分割する（ステップＳ００３）。
【００１９】
続いて、第２携帯端末１１２から、自装置（第２携帯端末１１２）のメニュー画面（操作画面）の送信が行われ、第１携帯端末１２２及び第２携帯端末１１２のメニュー表示領域１２４、１１４に、前記送信されたメニュー画面（操作画面）の表示が開示される（ステップＳ００４；図１の「メニュー画面共有化」参照）。
【００２０】
第１携帯端末１２２は、メニュー表示領域１２４に、第２携帯端末１１２のメニュー画面（操作画面）を表示し、ユーザ１に参照させるとともに、ユーザ２から依頼された操作（壁紙設定）を実行するためのキー操作の入力を受け付ける（ステップＳ００５）。ユーザ１よりキー操作内容が入力されると、第１携帯端末１２２は、当該キー操作内容を対応する端末制御情報に変換し、第２携帯端末１１２に対して送信する。
【００２１】
ステップＳ００５で、第１携帯端末１２２より送信された内容（端末制御情報）又は第２携帯端末１２２にて入力された内容が遠隔操作の終了を指示する場合は（ステップＳ００６のＮＯ）、遠隔操作モード終了となるが（ステップＳ００８）、それ以外は、遠隔操作モード継続となり、予め第２携帯端末１１２に登録されたユーザ１の顔画像と、第１携帯端末１２２より送信してきたテレビ電話画像（顔画像）を用いた顔認証処理が実行される（ステップＳ００７）。
【００２２】
ステップＳ００７で、ユーザ１の顔画像の認証に成功した場合は（ステップＳ００９のＹＥＳ）、第２携帯端末１１２は、第１携帯端末１２２のキー操作内容（端末制御情報）に応じた動作と、これに応じたカーソル移動や次画面展開等の画面反映を実行する（ステップＳ０１０；図１の「操作内容反映」参照）。
【００２３】
一方、ユーザ１の顔画像の認証に失敗した場合は（ステップＳ００９のＮＯ）、ステップＳ００５に戻り、再度、キー操作の受け付けと、顔画像による認証となる。
【００２４】
第２携帯端末１１２から第１携帯端末１２２の遠隔操作を行う場合も同様であり、まず、遠隔操作を受ける側の携帯端末からメニュー画面（操作画面）の送信が行われ、当該メニュー画面（操作画面）に対するキー入力内容とともに送信される顔画像の認証に成功している場合に限り、遠隔操作を行う側の携帯端末からの遠隔操作内容が正当なものとして受け付けられる。一方、メニュー画面（操作画面）が送信されない場合は、キー入力内容が送信されることはないし、メニュー画面（操作画面）とともに送信される顔画像の認証ができない場合は、キー操作内容は受け付けられないことになる。
【００２５】
また本実施形態では、遠隔操作を実行する相手から、その都度送信される顔画像によってその正当性が保証された逐次の遠隔操作内容とともに、テレビ電話によるインストラクションを受けることが可能となっている。上記特徴は、遠隔操作を受ける者本人が遠隔操作内容を学習し、一度代行してもらった設定変更や細かい操作を、次回以降自分できるようにする上でも有用である。
【００２６】
以上、本発明を実施するための好適な形態を説明したが、遠隔操作を受ける側の携帯端末から操作画面の送信を行い、該操作画面に対する操作内容とともに送信される認証情報を用いて認証処理を行い、該認証処理が成功した場合に限り当該操作内容を受け付けるという本発明の要旨を逸脱しない範囲で、各種の変形を加えることが可能であることはいうまでもない。例えば、上記した実施形態では、テレビ電話の相手の顔画像を用いて相手認証を行うものとして説明したが、上記顔画像に加えて、相手の音声特徴等を認証情報として用いることも可能である。
【００２７】
また、認証情報として相手の音声特徴のみを用いることも可能であり、このことは、テレビ画像を用いない音声のみによる通話中でも同様の遠隔操作モードを実現することができることを意味する。また、上記相手の顔画像や音声特徴以外の生体情報等のその他認証情報を用いることも可能である。
【００２８】
また、上記した実施形態では、メニュー表示領域１２４、１１４とテレビ電話画像表示領域１２５、１１５を上下に分割して、テレビ電話画像と遠隔操作対象の携帯端末のメニュー画面（操作画面）の双方を一画面に表示するものとして説明したが、適用される携帯端末の表示装置の仕様に従って、左右に分割する構成や、メニュー画面（操作画面）の片隅にテレビ電話画像を表示する構成を採ることができる。
【００２９】
また、本発明は、図４、図５に示すように、３台以上の携帯端末によるマルチコールにおいても適用可能である。図４は、メニュー画面が共有化された携帯端末のうちの複数の携帯端末１２２、１３２からの連携乃至連続した遠隔操作を１の携帯端末１１２が受け付け動作する例である。この変形実施形態は、例えば、ユーザ１がユーザ２の携帯端末１１２の遠隔操作の中で、ユーザ３に協力を仰ぎ、ユーザ３が遠隔操作を引き継ぐといった用法や、ユーザ１のお勧めの音楽コンテンツの再生の後で、ユーザ３のお勧めの音楽コンテンツの再生を行うといった用法を可能とする。
【００３０】
図５は、メニュー画面が共有化された端末間で、一の携帯端末１１２からの遠隔操作を複数の携帯端末１２２、１３２で受け付け、動作する例である。この変形実施形態は、例えば、ユーザ１が、携帯端末１２２、１３２の設定を一括設定したり、同時に音楽コンテンツを再生させる、家族中の子供や高齢者が所持する各携帯端末の位置情報報告機能を有効化するといった一括操作を可能とする。
【００３１】
また、上記した実施形態では、第１、第２携帯端末がそれぞれ同等の機能を有するものとして説明したが、遠隔操作される側の携帯端末は、遠隔操作画面の送信機能と、該遠隔操作画面に対する操作内容とともに送信される認証情報による認証機能と、該認証結果に応じて遠隔操作を受け付ける機能と、を備えていればよい。また、遠隔操作を行う側の携帯端末は、遠隔操作内容とともに認証情報を送信し、認証処理を受ける機能を備えていればよいこととなる。
【００３２】
また、上記遠隔操作される側／遠隔操作を行う側の端末機能の双方を、一定のメーカ端末やキャリア端末同士にのみ搭載することとすれば、家族同士や友人等で、同じメーカ端末、キャリア端末を利用することを誘発することができる。本発明は、特に、今まで電子機器類の操作に通じた者に、その操作や設定を依頼することが多かったようなユーザに有効であり、上記効果は別としても、当該電子機器類の操作に通じた者と常に同一機種の携帯端末を購入する強い動機を与えるものと考えられる。
【図面の簡単な説明】
【００３３】
【図１】本発明の第１の実施形態の基本構成及び動作概要を説明するための図である。
【図２】図１の携帯端末の詳細構成を表したブロック図である。
【図３】本発明の第１の実施形態の動作の流れを説明するための図である。
【図４】本発明の変形実施形態の構成及び動作概要を説明するための図である。
【図５】本発明の別の変形実施形態の構成及び動作概要を説明するための図である。
【符号の説明】
【００３４】
１０  無線部
１１  画像入力部
１２  表示部
１３  制御部
１４  メモリー部
１５  操作部
１１２  第２携帯端末
１２２  第１携帯端末
１１３、１２３、１３３  キー入力部
１１４、１２４、１３４  メニュー表示領域
１１５、１２５、１３５  テレビ電話画像表示領域
１３２  第３携帯端末
【図１】
2008103828.tif 000003
【図２】
2008103828.tif 000004
【図３】
2008103828.tif 000005
【図４】
2008103828.tif 000006
【図５】
2008103828.tif 000007